(57)【要約】【課題】背中の部分に上下方向のスライドファスナーが設けられた衣服の着衣及び脱衣を単独でできるネックレスを提供する。【解決手段】一端に結合された第１連結部材１３、及び他端に結合されて第１連結部材１３に対して着脱自在に連結される第２連結部材１５を具備して首回りに装着されるネックレス本体３と、第１連結部材１３及び第２連結部材１５がネックレス本体３の装着者の首後部側に位置するように位置付けられたネックレス本体３の一端又は他端にネックレス本体側端部１１ｃが連結されるとともに首後部側襟部７ａから背中中間部に亘ってスライドファスナー５が上下方向に設けられた衣服７のスライドファスナー開閉用スライダー９にファスナー側端部１１ｄが連結される連繋部材１１とを有する。【選択図】図１
0003193093.tif 000002
【実用新案登録請求の範囲】
【請求項１】
一端に結合された第１連結部材（１３）、及び他端に結合されて上記第１連結部材（１３）に対して着脱自在に連結される第２連結部材（１５）を具備して首回りに環状に装着されるネックレス本体（３）と、
上記第１連結部材（１３）及び第２連結部材（１５）が上記ネックレス本体（３）の装着者の首後部側に位置するように位置付けられた上記ネックレス本体（３）の一端又は他端にネックレス本体側端部（１１ｃ）が連結されるとともに、首後部側襟部（７ａ）から背中中間部に亘ってスライドファスナー（５）が上下方向に設けられた衣服（７）の上記スライドファスナー（５）開閉用のスライダー（９）にファスナー側端部（１１ｄ）が連結される連繋部材（１１）とを有することを特徴とするネックレス。
【請求項２】
請求項１に記載のネックレスにおいて、
上記連繋部材（１１）のファスナー側端部（１１ｄ）は、上記スライダー（９）に対して着脱自在に連結されることを特徴とするネックレス。
【請求項３】
請求項１又は２に記載のネックレスにおいて、
上記連繋部材（１１）のネックレス本体側端部（１１ｃ）は、上記ネックレス本体（３）の一端又は他端に対して着脱自在に連結されることを特徴とするネックレス。
【考案の詳細な説明】
【技術分野】  本考案は、背中の部分に上下方向のスライドファスナーが設けられた衣服の当該スライドファスナーを、衣服着脱時に着衣者が単独で開閉できるようにしたネックレスに関するものである。
【背景技術】  背中の部分に上下方向のスライドファスナーが設けられた女性用衣服は、該衣服の着脱時に上記スライドファスナーのスライダーが、スライドファスナーの上下方向中間位置にスライドした時に手がスライダーに届かなくなるため、スライダーを操作することができず、スライドファスナーを開閉するために補助者の助けを借りなければならないということが高齢者、肥満者に多く見られる。
このような問題点を解消するものとして、下記特許文献１〜３の発明・考案が提案されている。
【先行技術文献】
【特許文献】
【特許文献１】特開２００６−２８０８４７号公報
【特許文献２】特開２０１０−２２７９８号公報
【特許文献３】実用新案登録第３１１０９１７号公報
【考案の概要】
【考案が解決しようとする課題】  しかしながら、上記特許文献１〜３に開示されている発明・考案は、いずれもスライドファスナー付衣服を着衣する際には補助具を介してスライダーを引っ張って着衣することができるものの、着衣した後は見栄え上補助具をスライダーから取り外し、当該衣服を脱ぐまで上記補助具を携帯しておかねばならず面倒であるとともに、該補助具の携帯を忘れたり紛失したりする虞がある。さらに、当該衣服を脱ぐ際には、首後部側に位置するスライドファスナーのスライダーに補助具を連結しなければならずはなはだ面倒である。
【課題を解決するための手段】  本考案は、上記課題に鑑みて、背中の部分に上下方向のスライドファスナーが設けられた衣服の当該スライドファスナーを、衣服着脱時に着衣者が単独で開閉できるようにしたネックレスを提供するものである。
具体的には、第１の考案である請求項１に係る考案は、
一端に結合された第１連結部材、及び他端に結合されて上記第１連結部材に対して着脱自在に連結される第２連結部材を具備して首回りに環状に装着されるネックレス本体と、
上記第１連結部材及び第２連結部材が上記ネックレス本体の装着者の首後部側に位置するように位置付けられた上記ネックレス本体の一端又は他端にネックレス本体側端部が連結されるとともに、首後部側襟部から背中中間部に亘ってスライドファスナーが上下方向に設けられた衣服の上記スライドファスナー開閉用のスライダーにファスナー側端部が連結される連繋部材とを有することを特徴とする
第２の考案である請求項２に係る考案は、
請求項１に記載のネックレスにおいて、
上記連繋部材のファスナー側端部は、上記スライダーに対して着脱自在に連結されることを特徴とする。
第３の考案である請求項３に係る考案は、
請求項１又は２に記載のネックレスにおいて、
上記連繋部材のネックレス本体側端部は、上記ネックレス本体の一端又は他端に対して着脱自在に連結されることを特徴とする。
【考案の効果】  請求項１に係る考案では、背中の部分に上下方向のスライドファスナーが設けられた衣服を着衣する際、先ず、上記連繋部材のファスナー側端部を上記スライダーに連結するとともに上記スライドファスナーを開いた状態で上記衣服を着る。この状態でのネックレスは、上記ネックレス本体の一端に上記連繋部材のネックレス本体側端部が連結されている場合、背中側で上記連繋部材のファスナー側端部が上下方向最上端に位置し、その下方に上記連繋部材のネックレス本体側端部とネックレス本体の一端との連結部及び上記第１連結部材、その下方にネックレス本体の他端に連結された上記第２連結部材の順に上下方向に一直線状に垂れ下がって（垂下して）いる。
そこで、着衣者は、一方の手（例えば左手）を後側に回して、その手で上記第２連結部材又はその近傍の上記ネックレス本体を摘むとともに、他方の手（右手）で上記スライドファスナーの下端又はその近傍の上記衣服を押さえながら、一方の手を上方に動かしてネックレス本体を引っ張ることにより上記スライダーが衣服上端の上記襟部までスライド（移動）して上記スライドファスナーが完全に閉じる。この時、上記ネックレスは、そのネックレス本体の一端に連結された上記第１連結部材が着衣者の首後部に位置するとともに、ネックレス本体の長手方向中間部が上記のようにして当該ネックレス本体の上記第２連結部材を摘んだ一方の手側の肩（左肩）上に載置され、かつ、当該ネックレス本体の他端に連結された上記第２連結部材が着衣者の前側に垂下している。
次いで、着衣者は、一方の手（左手）を首後部側に回して上記第１連結部材を摘むとともに他方の手（右手）で着衣者の前側に垂下している上記第２連結部材を摘んでこれを右方向（時計回り）に回して首後部側で上記第１連結部材と第２連結部材とを着脱自在に連結することのより着衣が完了する。
なお、衣服を脱ぐ（脱衣の）際には、首後部側で互いに連結している上記第１連結部材及び第２連結部材を一方の手及び他方の手で摘んで、両連結部材の連結を解除した後、ネックレス本体を後側（背中側）に回して手放す。これにより、ネックレスは、上記連繋部材のファスナー側端部が上記スライダーに連結されて該ファスナー側端部を最上端に位置するとともに上記第２連結部材を最下端にした状態で後側に垂下する。
次いで、着衣者は、一方の手で上記スライドファスナーの上端近傍を押さえて、他方の手で上記ネックレス本体の上下方向下端あるいは中間部を摘んで下方に引っ張る。これにより、上記スライダーが最下方にスライドして、スライダーが全開するので、脱衣することができる。
なお、上記着衣及び脱衣の操作において一方の手を左手、他方の手を右手として説明したが、これとは逆に、一方の手を右手、他方の手を左手としても良い。
このように、請求項１に係る考案では、背中の部分に上記スライドファスナーが設けられた上記衣服の着衣及び脱衣、即ち着脱に際して、上記ネックレス本体及び該ネックレス本体に連結された上記連繋部材で構成されたネックレスが後側（背中側）で展開して一直線状に垂下しているため、着衣者は該ネックレスに十分に手が届いて、該ネックレスを摘んで上方又は下方に引っ張ることにより、上記スライダーを移動させて上記スライドファスナーを閉じたり、開いたりすることができるので、着衣者は補助者の手を一切借りることなく単独で容易かつ確実に着衣及び脱衣をすることができる。
また、請求項１に係る考案では、首回りに巻く上記ネックレス本体の一端又は他端に上記連繋部材を連結しているため、上記ネックレス本体の環状長さ（展開長さ）が短い場合であっても、衣服の着脱の際、背中側で垂下している上記ネックレスの展開長さが上記連繋部材の長さ分だけ長くなり、これにより着衣者は上記ネックレスに十分に手が届くことができる。
また、請求項１に係る考案では、着衣したとき、上記連繋部材が首後部側における環状の上記ネックレス本体と衣服襟部との距離（間隔）を一定に保持するので、該ネックレス本体を違和感なく装着することができる。
また、請求項１に係る考案では、背中の部分にスライドファスナーが設けられた衣服を、着衣者の大半が身に付ける上記ネックレス本体を利用して単独で着衣及び脱衣ができるため、衣服着脱用の専用補助具が不要であるとともに該補助具の携帯忘れや紛失等の虞がなくなる。
また、請求項１に係る考案では、ネックレス本体が首後部側で上記連繋部材を介してスライドファスナーの上記スライダーに連結されているため、上記ネックレス本体が首回り方向に回動して、互いに連結した上記第１連結部材及び第２連結部材が首横や首前に位置ずれすることがなく、当該ネックレス本体を安定して装着することができる。
さらに、請求項１に係る考案では、上記ネックレス本体と上記スライダーとを連繋する上記連繋部材に真珠等の宝玉を装飾することにより首後部側のお洒落をもすることができる。
請求項２に係る考案では、請求項１に係る考案の上記効果に加えて、上記連繋部材をスライドファスナーの上記スイラーダーに対して着脱自在に連結するようにしたため、ネックレスが付いた衣服を脱ぎ、該衣服をハンガー等に掛けて収納する際、上記ネックレス本体及び連繋部材からなるネックレスを当該衣服から取り外して収納することができ、これによりネックレスが衣服に垂れ下がった状態での収納に伴う衣服の型くずれを防止することが出来る。
請求項３に係る考案では、請求項１及び請求項２に係る考案の上記効果に加えて、上記連繋部材をネックレス本体及びスライドファスナーのスライダーに対して、着脱自在に連結するようにしたため、背中の部分にスライドファスナーが設けられていない衣服を着衣する時に上記連繋部材とネックレス本体との結合を解除して分離して、ネックレス本体のみを通常のネックレスとして装着することができる。これにより、ネックレス本体を、背中の部分にスライドファスナーが設けられた衣服の着衣時のみに装着することなく、通常のネックレスとしても装着できるため、ネックレス本体の有効着用が図られて経済的に好ましい。
【図面の簡単な説明】
【図１】本考案の実施形態に係るネックレスの連結状態を示す説明図である。
【図２】図１のネックレスの分解図である。
【図３】図２のＡ−Ａ線断面図である。
【図４】図３の矢視イ側面図である。
【図５】図１の第２連結部材の平面図である。
【図６】図１の留め具の平面図である。
【図７】本考案の実施形態に係るネックレスを取り付けた衣服の着衣に際してのスライドファスナーの全開状態を示す説明図である。
【図８】図７状態のネックレスを上方に引っ張ってスライドファスナーを閉じる状態を示す説明図である。
【図９】図８状態からスライドファスナーが完全に閉じた状態を示す説明図である。
【図１０】図９相当の着衣者の正面図である。
【図１１】図１０の状態からネックレス本体の両端を連結する説明図である。
【図１２】図１１相当の着衣者の正面図である。
【考案を実施するための形態】
以下、本考案の実施形態を図面に基づいて詳細に説明する。
図１は、本考案の実施形態に係るネックレス１の連結状態を示す説明図、図２は図１のネックレスの分解図である。
本考案の実施形態に係るネックレス１は、首回りに環状に装着するネックレス本体３と、該ネックレス本体３及び背中の部分にスライドファスナー５が上下方向に設けられた衣服７の当該スライドファスナー５開閉用のスライダー９を連繋する連繋部材１１とで構成されている。
上記ネックレス本体３の一端には環状の第１連結リング３ａを介して第１連結部材１３が結合され、当該ネックレス本体３の他端には環状の第２連結リング３ｂを介して第２連結部材１５が結合されている。
また、上記ネックレス本体３は、多数個の真珠、ルビー等の宝玉３ｃに柔軟なワイヤ、糸等の線材３ｄを通して数珠状をなし、当該ネックレス本体３の一端及び他端に対応する上記線材３ｄには該ネックレス本体３の捩れを防止する捩れ防止具３ｅ、３ｅが取り付けられている。
なお、上記線材３ｄは、後述のように該線材３ｄの線条方向に引っ張られるため、該引っ張り力に耐え得る、例えば釣り糸のような線材にすることが肝要である。
そして、上記一端側の捩れ防止具３ｅは上記第１連結リング３ａに、上記他端側の捩れ防止具３ｅは上記第２連結リング３ｂにそれぞれ連結されている。
上記第１連結部材１３は、図３に示すように、上方が開放し周壁外側の一側面に係合部１３ａが固着された断面Ｕ字状で環状の金属製枠体１３ｂと、頂部に宝玉１３ｃが載置されて上記枠体１３ｂの上方開放部を塞ぐように該枠体１３ｂに一体に固着された装飾冠１３ｄとで構成されている。上記係合部１３ａには、係合穴１３ｐが設けられて該係合穴１３ｐに上記第１連結リング３ａが遊嵌して係合している。
さらに、上記第１連結部材１３の上記枠体１３ｂの上記係合部１３ａに対向する他側面には、図４にも示すように側面視で凸状の係合口１３ｅが開口されている。該係合口１３ｅには、上記第２連結部材１５が係脱可能に挿入される。そして、上記係合口１３ｅは、底面１３ｆと、該底面１３ｆから垂直に起立した一対の下側起立縁部１３ｇ、１３ｇと、該下側起立縁部１３ｇ、１３ｇの上端から上記底面１３ｆに対して平行に延びる一対のガイド縁部１３ｈ、１３ｈと、該ガイド縁部１３ｈ、１３ｈの内端から互いに離間して上方に延びる一対の上側起立縁部１３ｊ、１３ｊと、該一対の上側起立縁部１３ｊ、１３ｊの上端同士を互いに連結する上縁部１３ｋとで凸状に開口している。
このように形成された上記係合口１３ｅは、矩形状下側穴１３ｍと、該下側穴１３ｍよりも横幅（図４において左右方向の幅）の小さい矩形状上側穴１３ｎとが形成され、これら下側穴１３ｍと上側穴１３ｎとは幅方向中間部で互いに連通して形成されている。
一方、上記第１連結部材１３に着脱自在に連結する上記第２連結部材１５は、図２、図５に示すように、弾性金属板を互いに重なるように折り曲げて、平面視横長の矩形状をなし、曲げ側を挿入側１５ａとするとともに該挿入側１５ａに対向する側を操作側１５ｂとし、上側板部１５ｃが水平な下側板部１５ｄに対して操作側１５ｂを上方に傾斜するように形成されている。そして、上記上側板部１５ｃは、その略中央部から上記操作側１５ｂ方向に帯状に上側に向けて隆起するとともに、当該上側板部１５ｃの上記操作側１５ｂの短辺からさらにその長辺に沿って延びて押圧操作部１５ｅを形成している。また、上記下側板部１５ｄの長辺の長さは、上記上側板部１５ｃの長辺よりも上記操作側１５ｂ方向に長く形成され、その先端部が略三角形状に形成され、該先端部に上記第２連結リング３ｂを遊嵌する係止孔１５ｆが開孔されている。また、上記上側板部１５ｃ及び下側板部１５ｄの短辺の長さは、同じ長さで、かつ第１連結部材１３における上記係合口１３ｅの上記下側係合口１３ｍの幅、即ち上記一対の下側起立縁部１３ｇ、１３ｇ間の長さよりも若干小さく形成されていて、当該第２連結部材１５が上記係合口１３ｅ内に挿入及び該係合口１３ｅから取り出しできるようになっている。さらに、上記押圧操作部１５ｅの短辺長さ（押圧操作部１５ｅの長手方向に直交する方向の長さ）は、上記第１連結部材１３における係合口１３ｅの上記上側係合口１３ｎの幅、即ち上記一対の上側起立縁部１３ｊ、１３ｊ間の長さより若干小さく形成されていて、上記押圧操作部１５ｅが上記上側係合口１３ｎ内を上下方向に移動できるようになっている。
このように構成した上記第１連結部材１３と第２連結部材１５とを連結するには、先ず、一方の手で第１連結部材１３を、他方の手で第２連結部材１５を摘んで、第１連結部材１３の上記下側係合口１３ｍと第２連結部材１５の上記挿入側１５ａとを対応させて、該挿入側１５ａを上記下側係合口１３ｍに挿入する。この挿入が進行するにしたがって上記第２連結部材１５における上記上側板部１５ｃの上記操作側１５ｂが、下側係合口１３ｍの上記ガイド縁部１３ｈ、１３ｈに押圧されて、上記下側板部１５ｄに近づくように撓み、上側板部１５ｃの上記操作側１５ｂの端縁が上記ガイド縁部１３ｈ、１３ｈを通過すると、上記上側板部１５ｃの押圧操作部１５ｅが上記下側係合口１３ｍと上側係合口１３ｎとの連通部から該上側係合口１３ｎ内に当該第２連結部材１５のバネ力（復元力）により嵌入する。これにより、上記上側板部１５ｃの上記操作側１５ｂ短辺（上記押圧操作部１５ｅの両側に位置する２辺）が、上記上側係合口１３ｎの上側起立縁部１３ｊ、１３ｊにおける上記枠体１３ｂ内側に係合して、当該第２連結部材１５が第１連結部材１３の上記下側係合口１３ｍから抜け出ることができない。
一方、第１連結部材１３と第２連結部材１５との係合を解除するには、一方の手で第１連結部材１３を、他方の手で第２連結部材１５を摘んで、該他方の手の指で第２連結部材１５の上記押圧操作部１５ｅをバネ力に抗して上記下側板部１５ｄ側に押圧して、上記上側板部１５ｃの上記操作側１５ｂの短辺を上記係合口１３ｅの上記下側係合口１３ｍ内に移動させた後、当該第２連結部材１５を上記下側係合口１３ｎから引き抜くことにより解除することができる。
次に、上記連繋部材１１は、数個（本実施形態では３個）の真珠、ルビー等の宝玉１１ａに柔軟なワイヤ、糸等の線材１１ｂを通し、該線材１１ｂのネックレス本体側端部１１ｃが連結環１７及び留め具１９を介して上記ネックレス本体３の上記第１連結リング３ａに連結されている。また、上記線材１１ｂのファスナー側端部１１ｄが連結環１７及び留め具１９を介して上記スライダー９の摘み部９ａに連結されている。
上記摘み部９ａは、その基端部９ｂを、上記スライダー９の突条部９ｃに貫通して形成された係止孔９ｄに遊嵌している。また、上記摘み部９ａには、上記基端部９ｂを周縁の一部とする貫通穴９ｅが形成され、該貫通穴９ｅの内部に上記突条部９ｃが遊嵌している。これにより、上記摘み部９ａは、上記基端部９ｂを支軸として図１において、上下方向に回動するようになっている。また、上記摘み部９ａの反基端側には、図２に示すように係合孔９ｆが貫通して形成されている。
上記スライダー９は、上記衣服７の首後部側襟部７ａからその背中上下方向中間部に亘って設けられた上記スライドファスナー５を開閉するもので、上記摘み部９ａを介して下方に移動（スライド）させると、スライドファスナー５がその上端の上記首後部側襟部７ａから下方に開き、これとは反対方向の上方に向けてスライダー９を移動させると、上記スライドファスナー５が閉じるようになっている。
また、上記留め具１９は、図６に示すように内部に大径の嵌入穴１９ａが形成されるとともに該嵌入穴１９ａから離間して小径の孔部１９ｂが貫通して形成された留め具本体１９ｃと、該留め具本体１９ｃの厚み方向中間部に上記孔部１９ｂ近傍を支軸（図示せず）として回動する開閉片１９ｄとを備えている。上記留め具本体１９ｃには、上記嵌入穴１９ａと当該留め具本体１９ｃの外側とを連通するゲート１９ｅが形成されている。そして、上記開閉片１９ｄの爪部１９ｆを指で反時計回りに回動することにより、当該開閉片１９ｄのドア部１９ｇが上記ゲート１９ｅを開き、該ゲート１９ｅから上記嵌入穴１９ａに上記第１連結リング３ａ又は上記摘み部９ａを挿入した後、上記爪部１９ｆを指から放すことにより上記ゲート１９ｅが閉じ、これにより上記留め具１９と、上記第１連結リング３ａ又は上記摘み部９ａの上記係合孔９ｆとが係合して連結する。なお、この連結を解除するには、上記操作手順の逆手順を行うことにより解除することができる。
次に、上記のように構成した上記ネックレス１を用いて、背中の部分に上記スライドファスナー５が設けられた上記衣服７の着衣の仕方、及びネックレス１の首回りへの装着の仕方について説明する。
先ず、上記衣服７を着るに先だって、図２に示すように分解された上記ネックレス１における上記連繋部材１１のファスナー側端部１１ｄの上記留め具１９を上記手順にしたがってスライダー９の上記係合孔９ｆに係合して連結する。同様にして、上記連繋部材１１のネックレス本体側端部１１ｃの上記留め具１９と上記第１連結リング３ａとを連結する。そして、このようにして上記ネックレス本体３と上記連繋部材１１とからなる上記ネックレス１が取り付けられた上記スライドファスナー５の上記摘み部９ａを摘んで上記スライダー９を当該スライドファスナー５の最下部までスライドさせて該スライドファスナー５を全開状態にする。
しかる後、上記衣服７を着ると、図７に示すように、上記ネックレス１は、背中側（後側）で上記連繋部材１１のファスナー側端部１１ｄが上下方向最上端に位置し、その下方に上記連繋部材１１のネックレス本体側端部１１ｃとネックレス本体３の一端側の上記第１連結リング３ａとの連結部及び該第１連結リング３ａに連結した上記第１連結部材１３が位置し、さらにその下方に上記ネックレス本体３、該ネックレス本体３の他端側に連結した上記第２連結部材１５の順で垂下している。
次いで、着衣者は、一方の手（本実施形態では左手）で上記第２連結部材１５又はその近傍のネックレス本体３を摘むとともに、他方の手（右手）で上記スライドファスナー５の下端又はその近傍の上記衣服７を押さえながら、一方の手を上方に動かして、上記ネックレス本体３を引っ張る（図８参照）ことにより、上記スライダー９が上記スライドファスナー５の最上端までスライド（移動）して、該スライドファスナー５が完全に閉じる（図９参照）。なお、この時、着衣者は、上記スライダー９が上方に移動するにつれて上記ネックレス本体３を摘む位置が上記スライダー９に段階的に近付くように摘むことにより、該スライダー９をより一層円滑に上方にスライドさせることができるようになる。
図９に示すように、上記スライドファスナー５が完全に閉じた状態での上記ネックレス１は、ネックレス本体３の一端に連結された上記第１連結部材１３が着衣者の首後側に位置するとともに、図１０に示すように上記ネックレス本体３の中間部が、上記のようにして第２連結部材１５又はネックレス本体３を摘んだ一方の手（左手）の側の肩（左肩）上に載置され、かつ当該ネックレス本体３の他端に連結された上記第２連結部材１５が着衣者の前側最下端に垂下している。
そこで、着衣者は、一方の手（左手）を首後部側に回して該首後部側にある上記第１連結部材１３を摘むとともに、他方の手（右手）で前側に垂下している上記第２連結部材１５を摘んで、これを右方向（時計回り）に回した後、首後部側で上記第１連結部材１３の上記係合口１３ｅの下側係合口１３ｍに上記第２連結部材１５を上記挿入側１５ａから挿入して、該第２連結部材１５の押圧操作部１５ｅが上記上側係合口１３ｎに嵌入することにより、これら両連結部材１３，１５を着脱自在に連結して上記衣服７の着衣と上記ネックレス本体３の首回りへの装着とが終了する。（図１１，１２参照）
ここで、上記第１連結部材１３と第２連結部材１５とを連結させる際、着衣者は、上記第１連結部材１３の上記係合口１３ｅの形状と上記第２連結部材１５の形状とを認知しているため、第１連結部材１３の上記係合口１３ｅと上記第２連結部材１５の上記挿入側１５ａとが対応するように両手で両連結部材１３，１５を摘んで首後部側で該連結部材１３，１５を容易に連結することができる。
このようにして、上記衣服７の着衣とネックレス本体３の首回りへの装着とが終了した状態における上記連繋部材１１は、上記ネックレス本体側端部１１ｃがネックレス本体３の一端側に連結され、上記ファスナー側端部１１ｄがスライダー９に連結されて、首後部側で身体に当接して垂下している。即ち、図１１において、第１連結部材１３と第２連結部材１５とを連結した後、両手をこれら連結部材１３，１５から放した時の連繋部材１１の状態に相当する。
次に、上記のようにして着衣した上記衣服７の脱ぎ方（脱衣の仕方）及び該衣服７からのネックレス１の取り外し方（脱着の仕方）について説明する。
先ず、両手を首後部側に回し、一方の手（左手）で首後部側の第１連結部材１３を摘むとともに他方の手（右手）で首後部側の第２連結部材１５を摘み、該第２連結部材１５の上記押圧操作部１５ｅを指で押圧しながら該第２連結部材１５を第１連結部材１３の上記下側係合口１３ｍから引き抜いて、両連結部材１３，１５の連結を解除して分離する。
しかる後、上記ネックレス本体３を一方の手で摘んで、左肩側から背中側に移動して手放すと、上記ネックレス１は、図７に示すスライドファスナー５が完全に閉じた状態で、上記スライドファスナー５のスライダー９が最上端に位置して、該スライダー９に上記連繋部材１１のファスナー側端部１１ｄが連結された状態で垂下しており、着衣者が手を背中側に回しても当該ネックレス１に十分に届いてこれを摘むことができる。
そこで、他方の手を背中側に回し、垂下したネックレス１の上記ネックレス本体３の上下方向中間部（可能な限り上方が好ましい）を摘むとともに、他方の手で上記スライダー９近傍の上記襟部７ａを押さえた状態で、他方の手を下方に動かして上記ネックレス本体３を引っ張ると、上記スライダー９が下方に移動して上記スライドファスナー５が全開となって、着衣者は上記衣服を容易に脱ぐことができる。
このようにして、首後部側の上記襟部７ａから背中中間部に亘ってスライドファスナー５が上下方向に設けられた衣服７を単独、かつ容易に脱衣することができる。
なお、脱衣した上記衣服７に取り付けられた上記ネックレス１を、該衣服７から取り外す操作及び当該ネックレス１の上記ネックレス本体３と上記連繋部材１１との連結を解除して分離する操作は、上記着衣操作手順の逆手順を行うことにより容易に行うことができる。
このように構成した本考案の実施形態に係るネックレス１は、該ネックレス１を用いて、背中の部分に上下方向のスライドファスナー５が設けられた衣服７を補助者の手を借りることなく単独で容易かつ確実に着衣及び脱衣をすることができる。
また、首回りに巻く上記ネックレス本体３の一端に上記連繋部材１１を連結しているため、上記ネックレス本体３の環状長さ（展開長さ）が短い場合であっても、衣服７の着脱の際、背中側で垂下している上記ネックレス１の展開長さが上記連繋部材１１の長さ分だけ長くなり、これにより着衣者は上記ネックレス１に十分に手が届くことができる。
また、着衣したとき、上記連繋部材１１が首後部側における環状の上記ネックレス本体３と衣服襟部７ａとの距離（間隔）を一定に保持して該ネックレス本体３を違和感なく装着することができる。
また、背中の部分にスライドファスナー５が設けられた衣服７を、着衣者の大半が身に付ける上記ネックレス本体３を利用して単独で着衣及び脱衣ができるため、衣服着脱専用の補助具が不要であるとともに該補助具の携帯忘れや紛失等の虞がなくなる。
また、ネックレス本体３が首後部側で上記連繋部材１１を介してスライドファスナー５の上記スライダー９に連結されているため、上記ネックレス本体３が首回り方向に移動してずれることがなく、当該ネックレス本体３を安定して装着することができる。
また、上記ネックレス本体３と上記スライダー９とを連繋する上記連繋部材１１に真珠等の宝玉１１ａを装飾することにより首後部側のお洒落をもすることができる。
また、上記連繋部材１１をスライドファスナー５の上記スイラーダー９に対して着脱自在に連結するようにしたため、ネックレス１が付いた衣服７を脱ぎ、該衣服７をハンガー等に掛けて収納する際、上記ネックレス本体３及び連繋部材１１からなるネックレス１を当該衣服７から取り外して収納することができ、これによりネックレス１が衣服７に垂れ下がった状態での収納に伴う衣服７の型くずれを防止することができる。
さらに、上記連繋部材１１をネックレス本体３及びスライドファスナー５のスライダー９に対して、着脱自在に連結するようにしたため、背中の部分にスライドファスナー５が設けられていない通常衣服を着用する時に、上記衣服７から上記連繋部材１１を取り外すとともに該連繋部材１１とネックレス本体３との結合を解除して分離し、ネックレス本体３のみを通常のネックレスとして装着することができる。これにより、ネックレス本体３を、背中の部分にスライドファスナー５が設けられた衣服７の着衣時のみに装着することなく、通常のネックレスとしても装着できるため、ネックレス本体３の有効装着が図られて経済的に好ましい。
なお、上記実施形態では、本考案の一実施形態であって、本考案は当該実施形態に限定されるものではない。
例えば、上記ネックレス１のネックレス本体３及び上記連繋部材１１は、宝玉３ｃを数珠状にしたものであるが、装飾を施した鎖状、紐状のものであっても良い。
また、上記第１連結部材１３及び上記第２連結部材１５は、互いに連結することができる構造のものであれば、如何なる構造のものであっても良い。
また、上記ネックレス本体３には、捩れ防止具３ｅが連結されているが、該捩れ防止具３ｅは必ずしも設ける必要がない。
また、上記連繋部材１１のネックレス本体側端部１１ｃは、ネックレス本体３の一端の上記第１連結リング３ａに連結したが、上記第１連結部材１３の係合部１３ａに連結するようにしても良く、あるいは上記ネックレス本体３の他端の上記第２連結リング３ｂ又は上記第２連結部材１５に連結するようにしても良い。
また、上記連繋部材１１のファスナー側端部１１ｄは、上記留め具１９を介して上記スライダー９の摘み部９ａ先端の係合孔９ｆに係合しているが、該摘み部９ａ先端に係合孔９ｆが形成されていない場合には、上記摘み部９ａの上記貫通穴９ｅに係合するようにすることもできる。
さらに、上記ネックレス１を用いて背中の部分にスライドファスナー５が上下方向に設けられた衣服５の着衣の仕方について、上記連繋部材１１のファスナー側端部１１ｄを上記スライダー９の摘み部９ａに連結した後、当該連繋部材１１のネックレス本体側端部１１ｃをネックレス本体３の上記第１連結リング３ａに連結すると説明したが、この手順とは逆に上記連繋部材１１のネックレス本体側端部１１ｃを上記第１連結リング３ａに連結した後、上記ファスナー側端部１１ｄを上記摘み部９ａに連結するようにしても良い。
【産業上の利用可能性】  本考案は、背中の部分に上下方向のスライドファスナーが設けられた衣服の着衣及び脱衣時に、当該スライドファスナーの開閉並びに上記衣服着衣者の首部に装着するネックレスに適用することができる。
【符号の説明】１        ネックレス
３        ネックレス本体
５        スライドファスナー
７        衣服
７ａ      襟部
９        スライダー
１１      連繋部材
１１ｃ    ネックレス本体側端部
１１ｄ    ファスナー側端部
１３      第１連結部材
１５      第２連結部材
【図１】
0003193093.tif 000003
【図２】
0003193093.tif 000004
【図３】
0003193093.tif 000005
【図４】
0003193093.tif 000006
【図５】
0003193093.tif 000007
【図６】
0003193093.tif 000008
【図７】
0003193093.tif 000009
【図８】
0003193093.tif 000010
【図９】
0003193093.tif 000011
【図１０】
0003193093.tif 000012
【図１１】
0003193093.tif 000013
【図１２】
0003193093.tif 000014